(57)【要約】      （修正有）【課題】太陽エネルギーの吸収を増加し、更に光路導引ユニットを通じて、ソーラーパネルの集光効率を強化する改良構造を提供する。【解決手段】太陽エネルギー集光２体及び光路導引ユニット３で構成する太陽エネルギー集光装置である。太陽エネルギー集光体２はソーラーパネルで形成する。底板２０及び底板サイド縁を囲む直立式サイドパネル２１で中空形態を作り、頂上を塞がない太陽エネルギー集光体の形状を構成する。光路導引ユニット３を太陽エネルギー集光体の底板の中空部分に設置、或いは太陽エネルギー集光体２の頂上に架設するなど、光路導引ユニット３に投射する太陽光線を、太陽パネルで構成する底板２０及びサイドパネル２１に反射或いは屈折して集光する。このような立体的なエネルギー収集方法で、ユニット面積が最大の太陽エネルギーを吸収することができ、効率がアップする。【選択図】図３
0003150376.tif 000002
【実用新案登録請求の範囲】
【請求項１】
太陽エネルギー集光体、光路導引ユニットを含み、
太陽エネルギー集光体はソーラーパネルで構成し、底板及び底板サイド縁を囲む直立式サイドパネルで中空形態を作り、かつ頂上を塞がない太陽エネルギー集光体の形状を構成し、
光路導引ユニットを太陽エネルギー集光体の中空部にある底板に固定設置し、照射してきた太陽光線を直立式サイドパネルに反射して収集することを特徴とする太陽エネルギー集光装置。
【請求項２】
前記光路導引ユニットは反射鏡であることを特徴とする請求項1記載の太陽エネルギー集光装置。
【請求項３】
太陽エネルギー集光体及び光路導引ユニットを含み、
太陽エネルギー集光体はソーラーパネルで構成し、底板及び底板サイド縁を囲む直立式サイドパネルで中空形態を作り、かつ頂上を塞がない太陽エネルギー集光体の形状を構成し、
光路導引ユニットは骨組み構造で太陽エネルギー集光体の頂上、太陽エネルギー集光体の中空部の真上方に固定設置し、光路導引ユニットを通じて、照射してきた太陽光線を太陽エネルギー集光体の底板に導引し、及び直立式サイドパネルに屈折反射して収集することを特徴とする太陽エネルギー集光装置。
【請求項４】
前記光路導引ユニットは複合式プリズムであることを特徴とする請求項3記載の太陽エネルギー集光装置。
【請求項５】
前記骨組み構造は更に光路導引ユニットの上方に、光路導引補助ユニットを設置し、光路導引補助ユニットは集光レンズ及びそれの周りを曲面状に延伸する集光鏡を含み、
集光レンズは光路導引ユニットの真上に設置し、集光鏡を通じて、照射してきた太陽光線を集光レンズに反射してから光路導引ユニットに集めることを特徴とする請求項3或いは請求項4記載の太陽エネルギー集光装置。
【請求項６】
前記骨組み構造は光路導引補助ユニットの外側を曲面状で延伸する集光鏡を支え、集光鏡外側を通じて、直接太陽エネルギー集光体の頂部に設置することを特徴とする請求項3或いは請求項4記載の太陽エネルギー集光装置。
【考案の詳細な説明】
【技術分野】
【０００１】
本考案は太陽エネルギー集光装置の構造に関し、太陽のエネルギーを集め、他のエネルギーに転換し、産業に利用することができる。特に立体的な構造を用いると、ユニット面積で最大量の太陽エネルギーを吸収することができ、効率がアップできる立体式太陽エネルギー集光装置の構造に関する。
【背景技術】
【０００２】
石油価格が暴騰し、代替エネルギーの開発を早急に実現しなければならない。自然環境の太陽エネルギーや風力エネルギーなどグリーンエネルギーを活用することで、人類の生活をより良いものにするだけでなく、二酸化炭素など、温室効果となる気体を過量に発生させないためには、自然の力を借りる必要性がある。
【０００３】
従来の太陽エネルギーを集める方法は、図1に示すように、平たくソーラーパネル(10)を一定のスペースに敷き、太陽光の照射を受けて当該エネルギーを吸収した上で、ほかのエネルギーに転換して利用する。よって、高い発電量を得たい場合は、広大な土地面積にソーラーパネル(10)を敷く必要がある。土地高な都市或いは人口密度の高い国家や地域にとって、それは大変なコスト負担となることは必須であり、太陽エネルギーの開発にも障害が生じるようになる。
【０００４】
よって、従来の太陽エネルギーを集める方法では、ユニット面積に設置できるフラットタイプのソーラーパネル(10)の数量は限られている。重ねて設置することができず、大量のエネルギー開発のニーズを満足させることができず、効率も悪いなどを鑑みて、改善する必要があった。
【先行技術文献】
【特許文献】
【０００５】
【特許文献１】特開平９−２５７３１６号公報
【考案の概要】
【考案が解決しようとする課題】
【０００６】
前記従来技術の欠点を解決するため、本考案は立体型のソーラーパネル装置を設置し、占用するユニット面積を変えない前提で、太陽エネルギーの吸収を増加し、更に光路導引ユニットを通じて、ソーラーパネルの集光効率を強化する改良構造を提供することを主な課題とする。
【課題を解決するための手段】
【０００７】
前記課題を解決するために、本考案は少なくとも一つの太陽エネルギー集光体及び光路導引ユニットから構成されている。太陽エネルギー集光体はソーラーパネルで構成する。底板及び底板サイド縁を囲む直立式サイドパネルで中空形態を作り、頂上を塞がない太陽エネルギー集光体の形状を構成する。光路導引ユニットを太陽エネルギー集光体の底板の中空部分に設置、或いは太陽エネルギー集光体の頂上に架設するなど、光路導引ユニットに投射する太陽光線を、太陽パネルで構成する底板及びサイドパネルに反射或いは屈折して集光する。
本考案は下記の特徴を有する。
（１）太陽エネルギー集光体、光路導引ユニットを含み、
太陽エネルギー集光体はソーラーパネルで構成し、底板及び底板サイド縁を囲む直立式サイドパネルで中空形態を作り、かつ頂上を塞がない太陽エネルギー集光体の形状を構成し、
光路導引ユニットを太陽エネルギー集光体の中空部にある底板に固定設置し、照射してきた太陽光線を直立式サイドパネルに反射して収集することを特徴とする太陽エネルギー集光装置。
（２）前記光路導引ユニットは反射鏡であることを特徴とする（１）記載の太陽エネルギー集光装置。
（３）太陽エネルギー集光体及び光路導引ユニットを含み、
太陽エネルギー集光体はソーラーパネルで構成し、底板及び底板サイド縁を囲む直立式サイドパネルで中空形態を作り、かつ頂上を塞がない太陽エネルギー集光体の形状を構成し、
光路導引ユニットは骨組み構造で太陽エネルギー集光体の頂上、太陽エネルギー集光体の中空部の真上方に固定設置し、光路導引ユニットを通じて、照射してきた太陽光線を太陽エネルギー集光体の底板に導引し、及び直立式サイドパネルに屈折反射して収集することを特徴とする太陽エネルギー集光装置。
（４）前記光路導引ユニットは複合式プリズムであることを特徴とする（３）記載の太陽エネルギー集光装置。
（５）前記骨組み構造は更に光路導引ユニットの上方に、光路導引補助ユニットを設置し、光路導引補助ユニットは集光レンズ及びそれの周りを曲面状に延伸する集光鏡を含み、
集光レンズは光路導引ユニットの真上に設置し、集光鏡を通じて、照射してきた太陽光線を集光レンズに反射してから光路導引ユニットに集めることを特徴とする請求項3或いは（４）記載の太陽エネルギー集光装置。
（６）前記骨組み構造は光路導引補助ユニットの外側を曲面状で延伸する集光鏡を支え、集光鏡外側を通じて、直接太陽エネルギー集光体の頂部に設置することを特徴とする（３）或いは（４）記載の太陽エネルギー集光装置。
【考案の効果】
【０００８】
本考案は立体型太陽エネルギー集光体と光路導引ユニットを設置することにより、占用ユニット面積を変えずとも、太陽エネルギーを効率よく、より多くのエネルギーを集めることができる。
【図面の簡単な説明】
【０００９】
【図１】従来技術のソーラーパネルで太陽エネルギーを集める配置図である。
【図２】本考案の集光装置の配置図であり、光路導引ユニットは太陽エネルギー集光体の内部に設置する。
【図３】本考案の集光装置の配置図であり、光路導引ユニットは骨組み構造によって、太陽エネルギー集光体の頂部に設置する。
【図４】図3の正面参考図であり、太陽光線を導引するルートを示す。
【図５】図3及び図4の別の実施例である。
【考案を実施するための形態】
【００１０】
図2に示すのは、太陽エネルギー集光装置を立体的な形で表している。少なくとも太陽エネルギー集光体2、及び光路導引ユニット3を含む。
【００１１】
太陽エネルギー集光体2はソーラーパネルを架設して完成する。底板20及び底板サイド縁を囲む直立式サイドパネル21で中空形態を作り、且つ頂上を塞がない太陽エネルギー集光体2の形状を構成する。太陽エネルギー集光体2は太陽光線51の照射を受けて当該エネルギーを吸収してから、外部ユニット6に供給して使用する(同時に図3を参照) 
【００１２】
光路導引ユニット3を太陽エネルギー集光体2の中空部22にある底板20に固定し、照射してきた太陽光線51を、底板20サイド縁を囲む直立式サイドパネル21に反射して集光する。よって、当該光路導引ユニット3は反射鏡を用いることができる。
【００１３】
図3及び図4に示すように、光路導引ユニット3は更に太陽エネルギー集光体2の頂上に設置することができる。骨組み構造4によって、光路導引ユニット3を太陽エネルギー集光体2の中空部22上方に設置し、光路導引ユニット3を通じて、太陽5の照射する光線51を太陽エネルギー集光体2の底板に投射する。及び底板20のサイド縁を囲む直立式サイドパネル21に屈折反射して収集する。ここの光路導引ユニット3は複合式プリズムを用いる。
【００１４】
従来技術と比較すると、本考案は立体化設計の太陽エネルギー集光体2により、占用するユニット面積を変えない前提で太陽エネルギーの吸収を増加し、更に光路導引ユニット3により、ソーラーパネルの集光効率を強化する。
【００１５】
図5に示すのは本考案の別の実施例である。図3及び図4に示す集光装置を含み、ここでは骨組み構造4に更に光路導引補助ユニット31を設置する。光導引補助ユニット31は骨組み構造4により、前述光路導引ユニット3の真上に設置し、中央に集光レンズ311及び周りを曲面状に延伸する集光鏡312を構成する。集光レンズ311は光路導引ユニット3の真上にあり、集光鏡312を通じて太陽光線51を集光レンズ311に集めてから光路導引ユニット3に導引する。光線の強度を増すことで、太陽エネルギー集光体2の集光効率を高める。
【００１６】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１７】
2 太陽エネルギー集光体
20 底板
21 直立式サイドパネル
22 中空部
3 光路導引ユニット
31 光路導引補助ユニット
311 集光レンズ
312 集光鏡
4 骨組み構造
5 太陽
51 太陽光線
6  外部ユニット
【図１】
0003150376.tif 000003
【図２】
0003150376.tif 000004
【図３】
0003150376.tif 000005
【図４】
0003150376.tif 000006
【図５】
0003150376.tif 000007